(57)【要約】  空気調和機の室外機（２）は、筐体（５９）と、筐体（５９）の外面に取り付けられるスイッチ（８０）が接続され、スイッチ（８０）が押下された場合にスイッチ（８０）が出力するスイッチ（８０）が押下されたことを示す信号を受け取るスイッチ接続コネクタ（５６）と、冷媒を圧縮する圧縮機（２４）と、空気を移動させるためのファンモータ（２５）と、圧縮機（２４）及びファンモータ（２５）を制御する室外制御装置（５３）と、スイッチ接続コネクタ（５６）が上記の信号を受け取った場合、圧縮機（２４）及びファンモータ（２５）の運転を停止させるための停止指令を室外制御装置（５３）に出力するスイッチ入力回路（５８）とを有する。室外制御装置（５３）は、スイッチ入力回路（５８）が出力した停止指令を受け取った場合、圧縮機（２４）及びファンモータ（２５）の運転を停止させる。
2020188713.tif 000002
【特許請求の範囲】
【請求項１】
筐体と、
前記筐体の内部に位置し、前記筐体の外面に取り付けられるスイッチが接続され、前記スイッチが押下された場合に前記スイッチが出力する前記スイッチが押下されたことを示す信号を受け取るスイッチ接続コネクタと、
前記筐体の内部に位置し、冷媒を圧縮する圧縮機と、
前記筐体の内部に位置し、空気を移動させるためのファンモータと、
前記筐体の内部に位置し、前記圧縮機及び前記ファンモータを制御する室外制御装置と、
前記筐体の内部に位置し、前記スイッチ接続コネクタが前記信号を受け取った場合、前記圧縮機及び前記ファンモータの運転を停止させるための停止指令を前記室外制御装置に出力するスイッチ入力回路とを備え、
前記室外制御装置は、前記スイッチ入力回路が出力した前記停止指令を受け取った場合、前記圧縮機及び前記ファンモータの運転を停止させる
空気調和機の室外機。
【請求項２】
前記スイッチを更に備え、
前記スイッチは、前記筐体の内部に位置する第１の状態と前記筐体の外面に取り付けられる第２の状態とのいずれの状態もとることができる
請求項１に記載の空気調和機の室外機。
【請求項３】
前記スイッチは、押下されない場合に開回路であるノーマリーオープンスイッチであり、
前記スイッチ入力回路は、前記スイッチ接続コネクタが前記信号を受け取った場合、前記停止指令を前記室外制御装置に出力する常時開スイッチ入力回路を有する
請求項１又は２に記載の空気調和機の室外機。
【請求項４】
前記筐体の内部に位置し、前記スイッチ接続コネクタに接続されているスイッチ電源と、
前記筐体の内部に位置し、前記スイッチ電源に接続されているジャンパー線とを更に備え、
前記スイッチ入力回路は、前記ジャンパー線に接続されている常時閉スイッチ入力回路を更に有する
請求項３に記載の空気調和機の室外機。
【請求項５】
前記スイッチは、押下されない場合に閉回路であるノーマリークローズスイッチであり、
前記スイッチ入力回路は、前記スイッチ接続コネクタが前記信号を受け取った場合、前記停止指令を前記室外制御装置に出力する常時閉スイッチ入力回路を有する
請求項１又は２に記載の空気調和機の室外機。
【請求項６】
前記筐体の内部に位置するスイッチ電源と、
前記筐体の内部に位置し、第１の端子と第２の端子とを有し、前記第１の端子が前記スイッチ電源に接続されているジャンパー線接続コネクタと、
前記ジャンパー線接続コネクタが有する前記第１の端子と前記第２の端子とを接続することができるジャンパーコネクタとを更に備え、
前記スイッチは、押下されない場合に開回路であるノーマリーオープンスイッチであるか、又は、押下されない場合に閉回路であるノーマリークローズスイッチであり、
前記スイッチ入力回路は、常時閉スイッチ入力回路と常時開スイッチ入力回路とを有し、
前記ジャンパー線接続コネクタが有する前記第２の端子は、前記スイッチ入力回路が有する前記常時閉スイッチ入力回路に接続されており、
前記スイッチが前記ノーマリーオープンスイッチである場合、前記ジャンパーコネクタによって、前記ジャンパー線接続コネクタが有する前記第１の端子と前記第２の端子とが接続され、前記常時開スイッチ入力回路は、前記ノーマリーオープンスイッチが押下されたことを示す信号を前記スイッチ接続コネクタが受け取ったとき、前記停止指令を前記室外制御装置に出力し、
前記スイッチが前記ノーマリークローズスイッチである場合、前記ジャンパー線接続コネクタが有する前記第１の端子と前記第２の端子とは接続されず、前記常時閉スイッチ入力回路は、前記ノーマリークローズスイッチが押下されたことを示す信号を前記スイッチ接続コネクタが受け取ったとき、前記停止指令を前記室外制御装置に出力する
請求項１又は２に記載の空気調和機の室外機。
【請求項７】
前記筐体の内部に位置し、前記スイッチ接続コネクタに接続されているスイッチ電源と、
前記筐体の内部に位置し、第３の端子と第４の端子とを有し、前記第３の端子が前記スイッチ電源に接続されており、オンの状態とオフの状態とのいずれかの状態になるスライドスイッチとを更に備え、
前記スイッチは、押下されない場合に開回路であるノーマリーオープンスイッチであるか、又は、押下されない場合に閉回路であるノーマリークローズスイッチであり、
前記スイッチ入力回路は、常時閉スイッチ入力回路と常時開スイッチ入力回路とを有し、
前記スライドスイッチが有する前記第４の端子は、前記スイッチ入力回路が有する前記常時閉スイッチ入力回路に接続されており、
前記スイッチが前記ノーマリーオープンスイッチである場合、前記スライドスイッチはオンの状態になり、前記常時開スイッチ入力回路は、前記ノーマリーオープンスイッチが押下されたことを示す信号を前記スイッチ接続コネクタが受け取ったとき、前記停止指令を前記室外制御装置に出力し、
前記スイッチが前記ノーマリークローズスイッチである場合、前記スライドスイッチはオフの状態になり、前記常時閉スイッチ入力回路は、前記ノーマリークローズスイッチが押下されたことを示す信号を前記スイッチ接続コネクタが受け取ったとき、前記停止指令を前記室外制御装置に出力する
請求項１又は２に記載の空気調和機の室外機。
【請求項８】
前記スイッチが押下された状態が解除された場合、前記室外制御装置は、運転を停止する前の状態で前記圧縮機及び前記ファンモータを運転させる
請求項１から７のいずれか１項に記載の空気調和機の室外機。
【請求項９】
請求項１から８のいずれか１項に記載の空気調和機の室外機と、
空気調和機の室内機と、
前記空気調和機の室外機と前記空気調和機の室内機とを制御するための遠隔操作機器とを備え、
前記空気調和機の室外機は、
前記室外制御装置が前記停止指令を受け取った場合に前記圧縮機及び前記ファンモータの運転が停止することを示す情報を前記空気調和機の室内機に送信する室外通信回路を有し、
前記空気調和機の室内機は、
前記空気調和機の室外機から送信された前記情報を受信する第１室内通信回路と、
前記第１室内通信回路が受信した前記情報を前記遠隔操作機器に送信する第２室内通信回路とを有し、
前記遠隔操作機器は、
前記空気調和機の室内機から送信された前記情報を受信する遠隔操作側通信機器と、
前記遠隔操作側通信機器が受信した前記情報を表示する表示装置とを有する
空気調和システム。
【発明の詳細な説明】
【技術分野】
【０００１】
本発明は、空気調和機の室外機及び空気調和システムに関する。
【背景技術】
【０００２】
従来の空気調和システムでは、ユーザは室内機と通信を行う遠隔操作機器を用いて空気調和機の運転の開始及び停止を操作する。ユーザが室外機の電源ブレーカを遮断することによって空気調和機の運転を強制的に停止することを可能にする技術も知られている。ユーザが室外機の内部に位置する基板に実装されているスイッチを操作することにより室外機から空気調和機の運転の開始及び停止を制御することを可能にする技術も提案されている（例えば、特許文献１参照）。
【先行技術文献】
【特許文献】
【０００３】
【特許文献１】特開２０１５−１６９３８６号公報
【発明の概要】
【発明が解決しようとする課題】
【０００４】
室外機の内部に位置するスイッチを操作することにより室外機から空気調和機の運転の停止を制御することを可能にする従来の技術では、空気調和機の据え付け時又はメンテナンス時に異常が発生した場合、作業者は室外機の筐体の一部又は全部を開けてスイッチを押下する必要がある。筐体を開ける必要があるので、従来の技術では、異常が発生した場合、空気調和機の運転を異常が発生してから直ぐに停止することができない。【０００５】
本発明は、上記に鑑みてなされたものであって、異常が発生した場合にスイッチを用いさせてできるだけ早急に空気調和機の運転を停止させることを可能にする空気調和機の室外機を得ることを目的とする。
【課題を解決するための手段】
【０００６】
上述した課題を解決し、目的を達成するために、本発明に係る空気調和機の室外機は、筐体と、筐体の内部に位置し、筐体の外面に取り付けられるスイッチが接続され、スイッチが押下された場合にスイッチが出力するスイッチが押下されたことを示す信号を受け取るスイッチ接続コネクタとを有する。本発明に係る空気調和機の室外機は、筐体の内部に位置し、冷媒を圧縮する圧縮機と、筐体の内部に位置し、空気を移動させるためのファンモータと、筐体の内部に位置し、圧縮機及びファンモータを制御する室外制御装置と、筐体の内部に位置し、スイッチ接続コネクタが上記の信号を受け取った場合、圧縮機及びファンモータの運転を停止させるための停止指令を室外制御装置に出力するスイッチ入力回路とを更に有する。室外制御装置は、スイッチ入力回路が出力した停止指令を受け取った場合、圧縮機及びファンモータの運転を停止させる。
【発明の効果】
【０００７】
本発明に係る空気調和機の室外機は、異常が発生した場合にスイッチを用いさせてできるだけ早急に空気調和機の運転を停止させることができる。
【図面の簡単な説明】
【０００８】
【図１】実施の形態１に係る空気調和システムの構成を示す図
【図２】実施の形態１に係る空気調和機の室外機の構造を模式的に示す図
【図３】実施の形態２に係る空気調和機の室外機の構造を模式的に示す図
【図４】実施の形態３に係る空気調和システムの構成を示す図
【図５】実施の形態４に係る空気調和システムの構成を示す図
【図６】実施の形態５に係る空気調和システムの構成を示す第１図
【図７】実施の形態５に係る空気調和システムの構成を示す第２図
【図８】実施の形態６に係る空気調和システムの構成を示す第１図
【図９】実施の形態６に係る空気調和システムの構成を示す第２図
【図１０】実施の形態１に係る空気調和機の室外機が有するインバータモジュール、インバータ制御装置、インバータ制御回路、室外制御装置、ファンモータ制御回路、室外通信回路、スイッチ接続コネクタ及びスイッチ入力回路の一部又は全部の機能がプロセッサによって実現される場合のプロセッサを示す図
【図１１】実施の形態１に係る空気調和機の室外機が有するインバータモジュール、インバータ制御装置、インバータ制御回路、室外制御装置、ファンモータ制御回路、室外通信回路、スイッチ接続コネクタ及びスイッチ入力回路の一部又は全部が処理回路によって実現される場合の処理回路を示す図
【発明を実施するための形態】
【０００９】
以下に、本発明の実施の形態に係る空気調和機の室外機及び空気調和システムを図面に基づいて詳細に説明する。なお、この実施の形態によりこの発明が限定されるものではない。
【００１０】
実施の形態１．
まず、実施の形態１に係る空気調和システム１の構成を説明する。図１は、実施の形態１に係る空気調和システム１の構成を示す図である。空気調和システム１は、空気調和機の室外機２と、空気調和機の室内機３とを有する。本願では、空気調和機の室外機を「室外機」と記載し、空気調和機の室内機を「室内機」と記載する場合がある。空気調和システム１は、室外機２と室内機３とを制御するための遠隔操作機器４を更に有する。
【００１１】
室外機２は、空気調和システム１の外部に位置する交流電源７０から交流電源が供給される室外機基板２１を有する。図１には、交流電源７０も示されている。室外機２は、図１に示されていない筐体を更に有しており、室外機基板２１は筐体の内部に位置している。図１には、交流電源７０と室外機基板２１との間に位置する電源ブレーカ２２も示されている。電源ブレーカ２２は、筐体の外部に位置している。
【００１２】
室外機２は、室外機基板２１にて発生する高周波を抑制するためのリアクタ２３と、冷媒を圧縮する圧縮機２４と、冷媒と熱交換を行わせる空気を移動させるためのファンモータ２５とを更に有する。リアクタ２３、圧縮機２４及びファンモータ２５も、筐体の内部に位置している。室外機基板２１は、圧縮機２４及びファンモータ２５を制御する。
【００１３】
室外機基板２１は、室外機基板２１において発生するノイズを抑制するためのコイル２６と、交流電源７０から室外機基板２１に供給される交流電源を直流電源に変換するためのダイオードブリッジ２７及び平滑コンデンサ２８とを有する。交流電源７０から室外機基板２１に供給される交流電源は、リアクタ２３、ダイオードブリッジ２７及び平滑コンデンサ２８によって直流電源に変換される。
【００１４】
室外機基板２１は、リアクタ２３、ダイオードブリッジ２７及び平滑コンデンサ２８によって得られた直流電源をもとに圧縮機２４を駆動するインバータモジュール２９と、インバータモジュール２９を制御するインバータ制御装置５１及びインバータ制御回路５２とを更に有する。室外機基板２１は、インバータ制御装置５１を制御する室外制御装置５３を更に有する。インバータ制御装置５１は、室外制御装置５３から運転の開始又は停止の指令を受けて当該指令をインバータ制御回路５２に伝送し、インバータ制御回路５２は、当該指令をもとにインバータモジュール２９を制御する。
【００１５】
室外機基板２１は、室外制御装置５３からファンモータ２５を制御するための指令を受け、当該指令をもとにファンモータ２５の動作を制御するファンモータ制御回路５４を更に有する。室外機基板２１は、室内機３と通信を行う室外通信回路５５を更に有する。
【００１６】
室外機基板２１は、筐体の外面に取り付けられるスイッチ８０が接続され、スイッチ８０が押下された場合にスイッチ８０が出力するスイッチ８０が押下されたことを示す信号を受け取るスイッチ接続コネクタ５６を更に有する。図１には、スイッチ８０も示されている。空気調和システム１は、スイッチ８０を有しない。スイッチ８０は、室外機２及び室内機３の据え付け時又はメンテナンス時に筐体の外面に取り付けられる。
【００１７】
室外機基板２１は、スイッチ接続コネクタ５６に接続されるスイッチ電源５７及びスイッチ入力回路５８を更に有する。スイッチ接続コネクタ５６が、スイッチ８０が押下されたことを示す信号を受け取った場合、スイッチ入力回路５８は、圧縮機２４及びファンモータ２５の運転を停止させるための停止指令を室外制御装置５３に出力する。
【００１８】
室外制御装置５３は、スイッチ入力回路５８が出力した停止指令を受け取った場合、インバータ制御装置５１を介してインバータ制御回路５２を制御して圧縮機２４の運転を停止させ、ファンモータ制御回路５４を制御してファンモータ２５の運転を停止させる。室外通信回路５５は、室外制御装置５３が停止指令を受け取った場合、圧縮機２４及びファンモータ２５の運転が停止することを示す情報を室内機３に送信する。
【００１９】
室内機３は、室外機２から送信された圧縮機２４及びファンモータ２５の運転が停止することを示す情報を受信する第１室内通信回路３１と、第１室内通信回路３１が受信した上記の情報を遠隔操作機器４に送信する第２室内通信回路３２とを有する。室内機３は、室内機３が有する複数の構成要素を制御する室内制御装置３３を更に有する。複数の構成要素のうちの一部は、第１室内通信回路３１及び第２室内通信回路３２である。
【００２０】
遠隔操作機器４は、室内機３から送信された圧縮機２４及びファンモータ２５の運転が停止することを示す情報を受信する遠隔操作側通信回路４１と、遠隔操作側通信回路４１が受信した情報を表示する表示装置４２とを有する。表示装置４２の例は、影響表示装置である。
【００２１】
図２は、実施の形態１に係る空気調和機の室外機２の構造を模式的に示す図である。室外機２は、筐体５９を有する。室外機基板２１、リアクタ２３、圧縮機２４及びファンモータ２５は、筐体５９の内部に位置する。図２は、スイッチ８０が筐体５９の外面に取り付けられている状況を示している。
【００２２】
次に、実施の形態１に係る空気調和システム１の動作を説明する。室外機２及び室内機３の据え付け時又はメンテナンス時に、作業者は、作業者の手が届く範囲において筐体５９の外面にスイッチ８０を取り付ける。作業者は、配線８１を用いてスイッチ８０と室外機基板２１が有するスイッチ接続コネクタ５６とを接続する。室外機２及び室内機３の据え付け時又はメンテナンス時に異常が生じた場合、例えば、冷媒が漏れる事態が生じた場合又は異物がファンモータ２５に巻き込まれる事態が生じた場合、作業者は、スイッチ８０を押下する。スイッチ８０は、スイッチ８０が押下されたことを示す信号を出力する。
【００２３】
室外機基板２１において、スイッチ接続コネクタ５６は、スイッチ８０が出力するスイッチ８０が押下されたことを示す信号を受け取り、スイッチ入力回路５８は、圧縮機２４及びファンモータ２５の運転を停止させるための停止指令を室外制御装置５３に出力する。室外制御装置５３は、インバータ制御装置５１を介してインバータ制御回路５２を制御して圧縮機２４の運転を停止させ、ファンモータ制御回路５４を制御してファンモータ２５の運転を停止させる。
【００２４】
室外通信回路５５は、圧縮機２４及びファンモータ２５の運転が停止することを示す情報を室内機３に送信する。室内機３では、第１室内通信回路３１が、室外機２から送信された圧縮機２４及びファンモータ２５の運転が停止することを示す情報を受信し、第２室内通信回路３２が、第１室内通信回路３１が受信した上記の情報を遠隔操作機器４に送信する。遠隔操作機器４では、遠隔操作側通信回路４１が、室内機３から送信された圧縮機２４及びファンモータ２５の運転が停止することを示す情報を受信し、表示装置４２が、遠隔操作側通信回路４１が受信した情報を表示する。
【００２５】
スイッチ８０が押下された状態が解除された場合、室外制御装置５３は、運転を停止する前の状態で圧縮機２４及びファンモータ２５を運転させる。スイッチ８０が押下された状態は、例えば作業者が、スイッチ８０が押下された状態を解除するための操作をスイッチ８０に対して行うことによって解除される。
【００２６】
上述の通り、実施の形態１に係る空気調和機の室外機２では、筐体５９の外面に取り付けられたスイッチ８０が押下された場合、スイッチ接続コネクタ５６は、スイッチ８０が出力するスイッチ８０が押下されたことを示す信号を受け取る。スイッチ入力回路５８は、圧縮機２４及びファンモータ２５の運転を停止させるための停止指令を室外制御装置５３に出力する。室外制御装置５３は、圧縮機２４及びファンモータ２５の運転を停止させる。
【００２７】
室外機２及び室内機３の据え付け時又はメンテナンス時に、作業者は、作業者の手が届く範囲においてスイッチ８０を筐体５９の外面に取り付けることで、異常が生じた場合、筐体５９の一部又は全部を開けることなくスイッチ８０を押下することができる。スイッチ８０が押下されると、上述のように圧縮機２４及びファンモータ２５の運転は停止する。すなわち、実施の形態１に係る空気調和機の室外機２は、異常が発生した場合にスイッチ８０を作業者に用いさせてできるだけ早急に空気調和機の運転を停止させることができる。
【００２８】
スイッチ８０は室外機基板２１に取り付けられていないので、作業者は、異常が生じても、筐体５９の一部又は全部を開ける必要がない。そのため、実施の形態１では、作業者が室外機基板２１に含まれる構成要素に触れて当該構成要素又は空気調和機を故障させる事態は生じない。
【００２９】
加えて、実施の形態１に係る空気調和機の室外機２は、電源を突然遮断することにより圧縮機２４及びファンモータ２５の運転を停止させるのではなく、圧縮機２４及びファンモータ２５を制御する室外制御装置５３による制御によって圧縮機２４及びファンモータ２５の運転を停止させる。そのため、室外機２は、異常が生じた場合、室外機２が有する構成要素を故障に導くことを抑制して圧縮機２４及びファンモータ２５の運転を停止させることができる。
【００３０】
上述の通り、実施の形態１に係る空気調和システム１では、異常が生じた場合、遠隔操作機器４は、圧縮機２４及びファンモータ２５の運転が停止することを示す情報を表示する。空気調和機のユーザは、圧縮機２４及びファンモータ２５の運転が停止することを認識することができる。すなわち、空気調和システム１は、ユーザが遠隔操作機器４と電源ブレーカ２２とのうちの一方又は双方を不用意に操作することを抑制することができる。
【００３１】
上述の通り、実施の形態１に係る空気調和機の室外機２は、スイッチ８０が押下された状態が解除された場合、運転を停止する前の状態で圧縮機２４及びファンモータ２５を運転させる。そのため、作業者は、運転が停止する前の状態で圧縮機２４及びファンモータ２５を運転させるための操作を遠隔操作機器４に対して行う必要はない。すなわち、室外機２は、スイッチ８０が押下された状態が解除された場合、作業者に遠隔操作機器４を操作させることなく、運転を停止する前の状態で圧縮機２４及びファンモータ２５を運転させることができる。
【００３２】
実施の形態２．
実施の形態１に係る空気調和システム１は、スイッチ８０を有しない。それに対し、実施の形態２に係る空気調和システムは、スイッチ８０を有する。実施の形態１に係る空気調和システム１がスイッチ８０を有しないのに対し、実施の形態２に係る空気調和システムがスイッチ８０を有する点が、実施の形態２と実施の形態１との相違点である。実施の形態２では、実施の形態１との相違点を主に説明する。
【００３３】
スイッチ８０は、筐体５９の内部に位置する第１の状態と筐体５９の外面に取り付けられる第２の状態とのいずれの状態もとることができる。図３は、実施の形態２に係る空気調和機の室外機２Ａの構造を模式的に示す図である。具体的には、図３は、スイッチ８０が筐体５９の内部に位置する第１の状態を示す図である。実施の形態１において用いた図２は、スイッチ８０が筐体５９の外面に取り付けられる第２の状態を示す。
【００３４】
室外機２Ａ及び室内機３の据え付け時又はメンテナンス時に、作業者は、図３に示されている筐体５９の内部に位置するスイッチ８０を筐体５９の外部に取り出し、図２に示すように作業者の手が届く範囲において筐体５９の外面にスイッチ８０を取り付ける。室外機２Ａ及び室内機３の据え付け時又はメンテナンス時に異常が生じた場合、作業者はスイッチ８０を押下する。
【００３５】
上述の通り、実施の形態２に係る空気調和機の室外機２Ａは、スイッチ８０を有する。そのため、作業者は、室外機２Ａ及び室内機３の据え付け時又はメンテナンス時に、スイッチ８０を用意する必要はない。すなわち、実施の形態２に係る空気調和機の室外機２Ａは、作業者がスイッチ８０を用意する手間を省かせることができる。室外機２Ａ及び室内機３の据え付け時又はメンテナンス時の前においては、スイッチ８０は筐体５９の内部に位置する。そのため、室外機２Ａは、スイッチ８０が雨又は風により故障することを抑制することができる。
【００３６】
実施の形態３．
図４は、実施の形態３に係る空気調和システム１Ｂの構成を示す図である。実施の形態３に係る空気調和システム１Ｂは、実施の形態１に係る空気調和システム１の室外機２の代わりに室外機２Ｂを有する。室外機２Ｂは、室外機２が有する室外機基板２１の代わりに室外機基板２１Ｂを有する。
【００３７】
室外機基板２１Ｂは、室外機基板２１が有する複数の構成要素のうちのスイッチ接続コネクタ５６及びスイッチ入力回路５８以外の構成要素を有する。室外機基板２１Ｂは、スイッチ接続コネクタ５６の代わりに、３個の端子を含むスイッチ接続コネクタ５６Ｂを有する。室外機基板２１Ｂは、スイッチ入力回路５８の代わりにスイッチ入力回路５８Ｂを有する。実施の形態３では、実施の形態１のスイッチ８０の代わりに、押下されない場合に開回路であるノーマリーオープンスイッチ８０Ａが用いられる。実施の形態３では、実施の形態１との相違点を主に説明する。
【００３８】
スイッチ入力回路５８Ｂは、常時閉スイッチ入力回路５８１と、常時開スイッチ入力回路５８２とを有する。常時閉スイッチ入力回路５８１及び常時開スイッチ入力回路５８２はいずれも、室外制御装置５３に接続されている。
【００３９】
室外機基板２１Ｂでは、スイッチ電源５７はスイッチ接続コネクタ５６Ｂに接続されている。具体的には、スイッチ接続コネクタ５６Ｂのうちのひとつの端子がスイッチ電源５７に接続されている。室外機基板２１Ｂは、スイッチ電源５７に接続されているジャンパー線６０を更に有する。常時閉スイッチ入力回路５８１は、ジャンパー線６０に接続されている。具体的には、スイッチ接続コネクタ５６Ｂのうちの別のひとつの端子が常時閉スイッチ入力回路５８１に接続されており、ジャンパー線６０は、上記のひとつの端子とスイッチ電源５７とを接続する配線と、上記の別のひとつの端子と常時閉スイッチ入力回路５８１とを接続する配線とを接続する。スイッチ接続コネクタ５６Ｂのうちの残りの端子は、常時開スイッチ入力回路５８２に接続されている。
【００４０】
常時閉スイッチ入力回路５８１は、ジャンパー線６０を介してスイッチ電源５７に接続されている。そのため、常時閉スイッチ入力回路５８１は無効化されている。
【００４１】
室外機２Ｂ及び室内機３の据え付け時又はメンテナンス時に、作業者は、作業者の手が届く範囲において筐体５９の外面にノーマリーオープンスイッチ８０Ａを取り付ける。作業者は、配線８１を用いてノーマリーオープンスイッチ８０Ａと室外機基板２１Ｂが有するスイッチ接続コネクタ５６Ｂとを接続する。室外機２Ｂ及び室内機３の据え付け時又はメンテナンス時に異常が生じた場合、作業者は、ノーマリーオープンスイッチ８０Ａを押下する。ノーマリーオープンスイッチ８０Ａは、ノーマリーオープンスイッチ８０Ａが押下されたことを示す信号を出力する。
【００４２】
室外機基板２１Ｂにおいて、スイッチ接続コネクタ５６Ｂは、ノーマリーオープンスイッチ８０Ａが出力するノーマリーオープンスイッチ８０Ａが押下されたことを示す信号を受け取る。スイッチ接続コネクタ５６Ｂが、ノーマリーオープンスイッチ８０Ａが押下されたことを示す信号を受け取った場合、常時開スイッチ入力回路５８２は、停止指令を室外制御装置５３に出力する。室外制御装置５３は、インバータ制御装置５１を介してインバータ制御回路５２を制御して圧縮機２４の運転を停止させ、ファンモータ制御回路５４を制御してファンモータ２５の運転を停止させる。
【００４３】
上述の通り、実施の形態３では、ノーマリーオープンスイッチ８０Ａが用いられ、実施の形態３に係る空気調和機の室外機２Ｂは、異常が生じた場合、実施の形態１の室外機２と同様に、圧縮機２４及びファンモータ２５の運転を停止させる。すなわち、室外機２Ｂは、異常が発生した場合にできるだけ早急に空気調和機の運転を停止させることができる。
【００４４】
実施の形態３に係る空気調和機の室外機２Ｂは、実施の形態２の室外機２Ａと同様に、ノーマリーオープンスイッチ８０Ａを有していてもよい。
【００４５】
実施の形態４．
図５は、実施の形態４に係る空気調和システム１Ｃの構成を示す図である。実施の形態４に係る空気調和システム１Ｃは、実施の形態３に係る空気調和システム１Ｂの室外機２Ｂの代わりに室外機２Ｃを有する。室外機２Ｃは、室外機２Ｂが有する室外機基板２１Ｂの代わりに室外機基板２１Ｃを有する。
【００４６】
室外機基板２１Ｃは、室外機基板２１Ｂが有する複数の構成要素のうちのジャンパー線６０以外の構成要素を有する。室外機基板２１Ｃは、ジャンパー線６０を有しない。実施の形態４では、実施の形態３のノーマリーオープンスイッチ８０Ａの代わりに、押下されない場合に閉回路であるノーマリークローズスイッチ８０Ｂが用いられる。実施の形態４では、実施の形態３との相違点を主に説明する。
【００４７】
室外機基板２１Ｃでは、スイッチ接続コネクタ５６Ｂのうちのひとつの端子がスイッチ電源５７に接続されており、スイッチ接続コネクタ５６Ｂのうちの別のひとつの端子が常時閉スイッチ入力回路５８１に接続されている。上述の通り、室外機基板２１Ｃはジャンパー線６０を有しない。つまり、スイッチ電源５７は、ノーマリークローズスイッチ８０Ｂを介して常時閉スイッチ入力回路５８１に接続されている。スイッチ接続コネクタ５６Ｂのうちの残りの端子は、常時開スイッチ入力回路５８２に接続されている。常時開スイッチ入力回路５８２が接続されるスイッチ接続コネクタ５６Ｂのうちの別のひとつの端子には他には何も接続されていないためオープンとなり常時開スイッチ入力回路５８２が無効化されており、常時閉スイッチ入力回路５８１が動作する。
【００４８】
室外機２Ｃ及び室内機３の据え付け時又はメンテナンス時に、作業者は、作業者の手が届く範囲において筐体５９の外面にノーマリークローズスイッチ８０Ｂを取り付ける。作業者は、配線８１を用いてノーマリークローズスイッチ８０Ｂと室外機基板２１Ｃが有するスイッチ接続コネクタ５６Ｂとを接続する。室外機２Ｃ及び室内機３の据え付け時又はメンテナンス時に異常が生じた場合、作業者は、ノーマリークローズスイッチ８０Ｂを押下する。ノーマリークローズスイッチ８０Ｂは、ノーマリークローズスイッチ８０Ｂが押下されたことを示す信号を出力する。
【００４９】
室外機基板２１Ｃにおいて、スイッチ接続コネクタ５６Ｂは、ノーマリークローズスイッチ８０Ｂが出力するノーマリークローズスイッチ８０Ｂが押下されたことを示す信号を受け取る。スイッチ接続コネクタ５６Ｂが、ノーマリークローズスイッチ８０Ｂが押下されたことを示す信号を受け取った場合、常時閉スイッチ入力回路５８１は、停止指令を室外制御装置５３に出力する。室外制御装置５３は、インバータ制御装置５１を介してインバータ制御回路５２を制御して圧縮機２４の運転を停止させ、ファンモータ制御回路５４を制御してファンモータ２５の運転を停止させる。
【００５０】
上述の通り、実施の形態４では、ノーマリークローズスイッチ８０Ｂが用いられ、実施の形態４に係る空気調和機の室外機２Ｃは、異常が生じた場合、実施の形態３の室外機２Ｂと同様に、圧縮機２４及びファンモータ２５の運転を停止させる。すなわち、室外機２Ｃは、異常が発生した場合にできるだけ早急に空気調和機の運転を停止させることができる。
【００５１】
上述の通り、室外機基板２１Ｃは、実施の形態３の室外機基板２１Ｂが有する複数の構成要素のうちのジャンパー線６０以外の構成要素を有する。そのため、室外機基板２１Ｂからジャンパー線６０を外すことにより、実施の形態４に係る空気調和機の室外機２Ｃを得ることができる。つまり、作業者は、実施の形態３に係る空気調和機の室外機２Ｂを用意しておくと、ノーマリーオープンスイッチ８０Ａを用意する場合、ジャンパー線６０を外すことなく室外機２Ｂを用いることができる。作業者は、ノーマリークローズスイッチ８０Ｂを用意する場合、ジャンパー線６０を外して室外機２Ｂを室外機２Ｃに変更することができる。
【００５２】
実施の形態４に係る空気調和機の室外機２Ｃは、実施の形態２の室外機２Ａと同様に、ノーマリークローズスイッチ８０Ｂを有していてもよい。
【００５３】
実施の形態５．
図６は、実施の形態５に係る空気調和システム１Ｄの構成を示す第１図である。図７は、実施の形態５に係る空気調和システム１Ｄの構成を示す第２図である。実施の形態５に係る空気調和システム１Ｄは、実施の形態３に係る空気調和システム１Ｂの室外機２Ｂの代わりに室外機２Ｄを有する。室外機２Ｄは、室外機２Ｂが有する室外機基板２１Ｂの代わりに室外機基板２１Ｄを有する。
【００５４】
室外機基板２１Ｄは、室外機基板２１Ｂが有する複数の構成要素のうちのジャンパー線６０以外の構成要素を有する。実施の形態５では、ノーマリーオープンスイッチ８０Ａとノーマリークローズスイッチ８０Ｂとのうちのいずれかが用いられる。更に言うと、実施の形態５では、ノーマリーオープンスイッチ８０Ａとノーマリークローズスイッチ８０Ｂとのうちのいずれが用いられてもよい。実施の形態５では、実施の形態３との相違点を主に説明する。
【００５５】
室外機基板２１Ｄは、第１の端子６１１と第２の端子６１２とを含むジャンパー線接続コネクタ６１を更に有する。ジャンパー線接続コネクタ６１の第１の端子６１１は、スイッチ接続コネクタ５６Ｂのうちのひとつの端子とスイッチ電源５７とを接続する配線に接続されている。ジャンパー線接続コネクタ６１の第２の端子６１２は、スイッチ接続コネクタ５６Ｂのうちの別のひとつの端子と常時閉スイッチ入力回路５８１とを接続する配線に接続されている。つまり、ジャンパー線接続コネクタ６１が有する第２の端子６１２は、スイッチ入力回路５８Ｂが有する常時閉スイッチ入力回路５８１に接続されている。
【００５６】
室外機２Ｄは、ジャンパー線接続コネクタ６１が有する第１の端子６１１と第２の端子６１２とを接続することができるジャンパーコネクタ６２を更に有する。図６は、ジャンパーコネクタ６２がジャンパー線接続コネクタ６１の第１の端子６１１と第２の端子６１２とを接続している状況を示している。図７は、ジャンパーコネクタ６２がジャンパー線接続コネクタ６１の第１の端子６１２と第２の端子６１２とを接続していない状況を示している。
【００５７】
ノーマリーオープンスイッチ８０Ａが用いられる場合、図６に示す通り、ジャンパーコネクタ６２によって、ジャンパー線接続コネクタ６１が有する第１の端子６１１と第２の端子６１２とが接続される。常時閉スイッチ入力回路５８１は、スイッチ電源５７に接続されているので無効化されている。ノーマリーオープンスイッチ８０Ａが押下されたことを示す信号をスイッチ接続コネクタ５６Ｂが受け取った場合、常時開スイッチ入力回路５８２は、停止指令を室外制御装置５３に出力する。
【００５８】
ノーマリークローズスイッチ８０Ｂが用いられる場合、図７に示す通り、ジャンパーコネクタ６２は用いられない。つまり、ジャンパー線接続コネクタ６１が有する第１の端子６１１と第２の端子６１２とは接続されない。常時開スイッチ入力回路５８２が接続されるスイッチ接続コネクタ５６Ｂのうちの別のひとつの端子には他には何も接続されていないためオープンとなり常時開スイッチ入力回路５８２が無効化されている。ノーマリークローズスイッチ８０Ｂが押下されたことを示す信号をスイッチ接続コネクタ５６Ｂが受け取った場合、常時閉スイッチ入力回路５８１は、停止指令を室外制御装置５３に出力する。
【００５９】
室外制御装置５３は、常時開スイッチ入力回路５８２又は常時閉スイッチ入力回路５８１から出力された停止指令を受け取ると、インバータ制御装置５１を介してインバータ制御回路５２を制御して圧縮機２４の運転を停止させ、ファンモータ制御回路５４を制御してファンモータ２５の運転を停止させる。
【００６０】
上述の通り、実施の形態５では、ノーマリーオープンスイッチ８０Ａが用いられる場合、ジャンパーコネクタ６２が用いられる。ノーマリークローズスイッチ８０Ｂが用いられる場合、ジャンパーコネクタ６２は用いられない。すなわち、実施の形態５に係る空気調和機の室外機２Ｄは、ノーマリーオープンスイッチ８０Ａとノーマリークローズスイッチ８０Ｂとのうちのいずれが用いられることも可能とする。つまり、室外機２Ｄは、ユーザがスイッチを選択する際に自由度を与えることができる。
【００６１】
実施の形態５に係る空気調和機の室外機２Ｄは、実施の形態２の室外機２Ａと同様に、ノーマリーオープンスイッチ８０Ａとノーマリークローズスイッチ８０Ｂとのうちの一方又は双方を有していてもよい。
【００６２】
実施の形態６．
図８は、実施の形態６に係る空気調和システム１Ｅの構成を示す第１図である。図９は、実施の形態６に係る空気調和システム１Ｅの構成を示す第２図である。実施の形態６に係る空気調和システム１Ｅは、実施の形態３に係る空気調和システム１Ｂの室外機２Ｂの代わりに室外機２Ｅを有する。室外機２Ｅは、室外機２Ｂが有する室外機基板２１Ｂの代わりに室外機基板２１Ｅを有する。
【００６３】
室外機基板２１Ｅは、室外機基板２１Ｂが有する複数の構成要素のうちのジャンパー線６０以外の構成要素を有する。実施の形態６では、ノーマリーオープンスイッチ８０Ａとノーマリークローズスイッチ８０Ｂとのうちのいずれかが用いられる。更に言うと、実施の形態６では、ノーマリーオープンスイッチ８０Ａとノーマリークローズスイッチ８０Ｂとのうちのいずれが用いられてもよい。実施の形態６では、実施の形態３との相違点を主に説明する。
【００６４】
室外機基板２１Ｅは、第３の端子６３１、第４の端子６３２及び第５の端子６３３を有するスライドスイッチ６３を更に有する。スライドスイッチ６３は、オンの状態とオフの状態とのうちのいずれかの状態になる。第５の端子６３３は、何にも接続されていない。第３の端子６３１は、スイッチ接続コネクタ５６Ｂのうちのひとつの端子とスイッチ電源５７とを接続する配線に接続されている。つまり、第３の端子６３１はスイッチ電源５７に接続されている。第４の端子６３２は、スイッチ接続コネクタ５６Ｂのうちの別のひとつの端子と常時閉スイッチ入力回路５８１とを接続する配線に接続されている。
【００６５】
図８に示すようにノーマリーオープンスイッチ８０Ａが用いられる場合、作業者の操作によってスライドスイッチ６３はオンの状態になり、第４の端子６３２はスイッチ電源５７に接続される。常時閉スイッチ入力回路５８１は、スイッチ電源５７に接続されるので無効化されている。常時開スイッチ入力回路５８２は、ノーマリーオープンスイッチ８０Ａが押下されたことを示す信号をスイッチ接続コネクタ５６Ｂが受け取ったとき、停止指令を室外制御装置５３に出力する。
【００６６】
図９に示すようにノーマリーオープンスイッチ８０Ｂが用いられる場合、作業者の操作によってスライドスイッチ６３はオフの状態になり、第４の端子６３２はスイッチ電源５７に接続されない。常時開スイッチ入力回路５８２が接続されるスイッチ接続コネクタ５６Ｂのうちの別のひとつの端子には他には何も接続されていないためオープンとなり常時開スイッチ入力回路５８２が無効化されている。常時閉スイッチ入力回路５８１は、ノーマリークローズスイッチ８０Ｂが押下されたことを示す信号をスイッチ接続コネクタ５６Ｂが受け取ったとき、停止指令を室外制御装置５３に出力する。
【００６７】
室外制御装置５３は、常時開スイッチ入力回路５８２又は常時閉スイッチ入力回路５８１から出力された停止指令を受け取ると、インバータ制御装置５１を介してインバータ制御回路５２を制御して圧縮機２４の運転を停止させ、ファンモータ制御回路５４を制御してファンモータ２５の運転を停止させる。
【００６８】
上述の通り、実施の形態６では、ノーマリーオープンスイッチ８０Ａが用いられる場合、作業者の操作によってスライドスイッチ６３はオンの状態になる。ノーマリークローズスイッチ８０Ｂが用いられる場合、作業者の操作によってスライドスイッチ６３はオフの状態になる。すなわち、実施の形態６に係る空気調和機の室外機２Ｅは、ノーマリーオープンスイッチ８０Ａとノーマリークローズスイッチ８０Ｂとのうちのいずれが用いられることも可能とする。更に言うと、室外機２Ｅは、室外機２Ｅが有する構成要素の取り外し行わせることなく、ユーザがスイッチを選択する際に自由度を与えることができる。
【００６９】
実施の形態６に係る空気調和機の室外機２Ｅは、実施の形態２の室外機２Ａと同様に、ノーマリーオープンスイッチ８０Ａとノーマリークローズスイッチ８０Ｂとのうちの一方又は双方を有していてもよい。
【００７０】
図１０は、実施の形態１に係る空気調和機の室外機２が有するインバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部の機能がプロセッサ９１によって実現される場合のプロセッサ９１を示す図である。つまり、インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図１０には、メモリ９２も示されている。
【００７１】
インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部の機能がプロセッサ９１によって実現される場合、当該一部又は全部の機能は、プロセッサ９１と、ソフトウェア、ファームウェア、又は、ソフトウェア及びファームウェアとの組み合わせにより実現される。ソフトウェア又はファームウェアは、プログラムとして記述され、メモリ９２に格納される。プロセッサ９１は、メモリ９２に記憶されたプログラムを読み出して実行することにより、インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部の機能を実現する。
【００７２】
インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部の機能がプロセッサ９１によって実現される場合、室外機２は、インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部によって実行されるステップが結果的に実行されることになるプログラムを格納するためのメモリ９２を有する。メモリ９２に格納されるプログラムは、インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部が実行する手順又は方法をコンピュータに実行させるものであるともいえる。
【００７３】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００７４】
図１１は、実施の形態１に係る空気調和機の室外機２が有するインバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部が処理回路９３によって実現される場合の処理回路９３を示す図である。つまり、インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８の一部又は全部は、処理回路９３によって実現されてもよい。
【００７５】
処理回路９３は、専用のハードウェアである。処理回路９３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００７６】
インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８が有する複数の機能について、当該複数の機能の一部がソフトウェア又はファームウェアで実現され、当該複数の機能の残部が専用のハードウェアで実現されてもよい。このように、インバータモジュール２９、インバータ制御装置５１、インバータ制御回路５２、室外制御装置５３、ファンモータ制御回路５４、室外通信回路５５、スイッチ接続コネクタ５６及びスイッチ入力回路５８が有する複数の機能は、ハードウェア、ソフトウェア、ファームウェア、又はこれらの組み合わせによって実現することができる。
【００７７】
実施の形態３に係る空気調和機の室外機２Ｂが有するスイッチ接続コネクタ５６Ｂ及びスイッチ入力回路５８Ｂの一部又は全部の機能は、メモリに格納されるプログラムを実行するプロセッサによって実現されてもよい。当該メモリは、スイッチ接続コネクタ５６Ｂ及びスイッチ入力回路５８Ｂによって実行される一部又は全部のステップが結果的に実行されることになるプログラムを格納するためのメモリである。スイッチ接続コネクタ５６Ｂ及びスイッチ入力回路５８Ｂの一部又は全部の機能は、処理回路によって実現されてもよい。当該処理回路は、処理回路９３と同様の処理回路である。
【００７８】
実施の形態１に係る空気調和システム１の室内機３が有する第１室内通信回路３１、第２室内通信回路３２及び室内制御装置３３の一部又は全部の機能は、メモリに格納されるプログラムを実行するプロセッサによって実現されてもよい。当該メモリは、第１室内通信回路３１、第２室内通信回路３２及び室内制御装置３３によって実行される一部又は全部のステップが結果的に実行されることになるプログラムを格納するためのメモリである。第１室内通信回路３１、第２室内通信回路３２及び室内制御装置３３の一部又は全部の機能は、処理回路によって実現されてもよい。当該処理回路は、処理回路９３と同様の処理回路である。
【００７９】
実施の形態１に係る空気調和システム１の遠隔操作機器４が有する遠隔操作側通信回路４１及び表示装置４２の少なくとも一部の機能は、メモリに格納されるプログラムを実行するプロセッサによって実現されてもよい。当該メモリは、遠隔操作側通信回路４１及び表示装置４２によって実行される少なくとも一部のステップが結果的に実行されることになるプログラムを格納するためのメモリである。遠隔操作側通信回路４１及び表示装置４２の少なくとも一部の機能は、処理回路によって実現されてもよい。当該処理回路は、処理回路９３と同様の処理回路である。
【００８０】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００８１】
１，１Ｂ，１Ｃ，１Ｄ，１Ｅ  空気調和システム、２，２Ａ，２Ｂ，２Ｃ，２Ｄ，２Ｅ  空気調和機の室外機、３  空気調和機の室内機、４  遠隔操作機器、２１，２１Ｂ，２１Ｃ，２１Ｄ，２１Ｅ  室外機基板、２２  電源ブレーカ、２３  リアクタ、２４  圧縮機、２５  ファンモータ、２６  コイル、２７  ダイオードブリッジ、２８  平滑コンデンサ、２９  インバータモジュール、３１  第１室内通信回路、３２  第２室内通信回路、３３  室内制御装置、４１  遠隔操作側通信回路、４２  表示装置、５１  インバータ制御装置、５２  インバータ制御回路、５３  室外制御装置、５４  ファンモータ制御回路、５５  室外通信回路、５６，５６Ｂ  スイッチ接続コネクタ、５７  スイッチ電源、５８，５８Ｂ  スイッチ入力回路、５９  筐体、６０  ジャンパー線、６１  ジャンパー線接続コネクタ、６２  ジャンパーコネクタ、６３  スライドスイッチ、７０  交流電源、８０  スイッチ、８０Ａ  ノーマリーオープンスイッチ、８０Ｂ  ノーマリークローズスイッチ、８１  配線、９１  プロセッサ、９２  メモリ、９３  処理回路、５８１  常時閉スイッチ入力回路、５８２  常時開スイッチ入力回路、６１１  第１の端子、６１２  第２の端子、６３１  第３の端子、６３２  第４の端子、６３３  第５の端子。
【図１】
2020188713.tif 000003
【図２】
2020188713.tif 000004
【図３】
2020188713.tif 000005
【図４】
2020188713.tif 000006
【図５】
2020188713.tif 000007
【図６】
2020188713.tif 000008
【図７】
2020188713.tif 000009
【図８】
2020188713.tif 000010
【図９】
2020188713.tif 000011
【図１０】
2020188713.tif 000012
【図１１】
2020188713.tif 000013
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
筐体と、
スイッチと、
前記筐体の内部に位置し、前記スイッチが接続され前記スイッチが押下された場合に、前記スイッチが出力する前記スイッチが押下されたことを示す信号を受け取るスイッチ接続コネクタと、
前記筐体の内部に位置し、冷媒を圧縮する圧縮機と、
前記筐体の内部に位置し、空気を移動させるためのファンモータと、
前記筐体の内部に位置し、前記圧縮機及び前記ファンモータを制御する室外制御装置と、
前記筐体の内部に位置し、前記スイッチ接続コネクタが前記信号を受け取った場合、前記圧縮機及び前記ファンモータの運転を停止させるための停止指令を前記室外制御装置に出力するスイッチ入力回路とを備え、
前記スイッチは、前記筐体の内部に位置する第１の状態と前記筐体の外面に取り付けられる第２の状態とのいずれの状態もとることができ、
前記室外制御装置は、前記スイッチ入力回路が出力した前記停止指令を受け取った場合、前記圧縮機及び前記ファンモータの運転を停止させる
空気調和機の室外機。
【請求項２】
筐体と、
前記筐体の内部に位置し、前記筐体の外面に取り付けられるスイッチが接続され前記スイッチが押下された場合に、前記スイッチが出力する前記スイッチが押下されたことを示す信号を受け取るスイッチ接続コネクタと、
前記筐体の内部に位置し、冷媒を圧縮する圧縮機と、
前記筐体の内部に位置し、空気を移動させるためのファンモータと、
前記筐体の内部に位置し、前記圧縮機及び前記ファンモータを制御する室外制御装置と、
前記筐体の内部に位置し、前記スイッチ接続コネクタが前記信号を受け取った場合、前記圧縮機及び前記ファンモータの運転を停止させるための停止指令を前記室外制御装置に出力するスイッチ入力回路と、
前記筐体の内部に位置し、前記スイッチ接続コネクタに接続されているスイッチ電源と、
前記筐体の内部に位置し、前記スイッチ電源に接続されているジャンパー線とを備え、
前記室外制御装置は、前記スイッチ入力回路が出力した前記停止指令を受け取った場合、前記圧縮機及び前記ファンモータの運転を停止させ、
前記スイッチは、押下されない場合に開回路であるノーマリーオープンスイッチであり、
前記スイッチ入力回路は、前記スイッチ接続コネクタが前記信号を受け取った場合に前記停止指令を前記室外制御装置に出力する常時開スイッチ入力回路と、前記ジャンパー線に接続されている常時閉スイッチ入力回路とを有する
空気調和機の室外機。
【請求項３】
筐体と、
前記筐体の内部に位置し、前記筐体の外面に取り付けられるスイッチが接続され前記スイッチが押下された場合に、前記スイッチが出力する前記スイッチが押下されたことを示す信号を受け取るスイッチ接続コネクタと、
前記筐体の内部に位置し、冷媒を圧縮する圧縮機と、
前記筐体の内部に位置し、空気を移動させるためのファンモータと、
前記筐体の内部に位置し、前記圧縮機及び前記ファンモータを制御する室外制御装置と、
前記筐体の内部に位置し、前記スイッチ接続コネクタが前記信号を受け取った場合、前記圧縮機及び前記ファンモータの運転を停止させるための停止指令を前記室外制御装置に出力するスイッチ入力回路と、
前記筐体の内部に位置し、前記スイッチ接続コネクタに接続されているスイッチ電源と、
前記筐体の内部に位置し、前記スイッチ電源に接続されているジャンパー線とを備え、
前記室外制御装置は、前記スイッチ入力回路が出力した前記停止指令を受け取った場合、前記圧縮機及び前記ファンモータの運転を停止させ、
前記スイッチ入力回路は、前記ジャンパー線に接続されている常時閉スイッチ入力回路を有し、
前記スイッチは、押下されない場合に閉回路であるノーマリークローズスイッチである場合、前記ジャンパー線は切断された状態とし、
前記スイッチ入力回路は、前記スイッチ接続コネクタが前記信号を受け取った場合、前記停止指令を前記室外制御装置に出力する常時閉スイッチ入力回路と、前記スイッチが接続されていない常時開スイッチ入力回路とを有する
空気調和機の室外機。
【請求項４】
筐体と、
前記筐体の内部に位置し、前記筐体の外面に取り付けられるスイッチが接続され前記スイッチが押下された場合に、前記スイッチが出力する前記スイッチが押下されたことを示す信号を受け取るスイッチ接続コネクタと、
前記筐体の内部に位置し、冷媒を圧縮する圧縮機と、
前記筐体の内部に位置し、空気を移動させるためのファンモータと、
前記筐体の内部に位置し、前記圧縮機及び前記ファンモータを制御する室外制御装置と、
前記筐体の内部に位置し、前記スイッチ接続コネクタが前記信号を受け取った場合、前記圧縮機及び前記ファンモータの運転を停止させるための停止指令を前記室外制御装置に出力するスイッチ入力回路と、
前記筐体の内部に位置するスイッチ電源と、
前記筐体の内部に位置し、第１の端子と第２の端子とを有し、前記第１の端子が前記スイッチ電源に接続されているジャンパー線接続コネクタと、
前記ジャンパー線接続コネクタが有する前記第１の端子と前記第２の端子とを接続することができるジャンパーコネクタとを備え、
前記室外制御装置は、前記スイッチ入力回路が出力した前記停止指令を受け取った場合、前記圧縮機及び前記ファンモータの運転を停止させ、
前記スイッチは、押下されない場合に開回路であるノーマリーオープンスイッチであるか、又は、押下されない場合に閉回路であるノーマリークローズスイッチであり、
前記スイッチ入力回路は、常時閉スイッチ入力回路と常時開スイッチ入力回路とを有し、
前記ジャンパー線接続コネクタが有する前記第２の端子は、前記スイッチ入力回路が有する前記常時閉スイッチ入力回路に接続されており、
前記スイッチが前記ノーマリーオープンスイッチである場合、前記ジャンパーコネクタによって、前記ジャンパー線接続コネクタが有する前記第１の端子と前記第２の端子とが接続され、前記常時開スイッチ入力回路は、前記ノーマリーオープンスイッチが押下されたことを示す信号を前記スイッチ接続コネクタが受け取ったとき、前記停止指令を前記室外制御装置に出力し、
前記スイッチが前記ノーマリークローズスイッチである場合、前記ジャンパー線接続コネクタが有する前記第１の端子と前記第２の端子とは接続されず、前記常時閉スイッチ入力回路は、前記ノーマリークローズスイッチが押下されたことを示す信号を前記スイッチ接続コネクタが受け取ったとき、前記停止指令を前記室外制御装置に出力する
空気調和機の室外機。
【請求項５】
筐体と、
前記筐体の内部に位置し、前記筐体の外面に取り付けられるスイッチが接続され前記スイッチが押下された場合に、前記スイッチが出力する前記スイッチが押下されたことを示す信号を受け取るスイッチ接続コネクタと、
前記筐体の内部に位置し、冷媒を圧縮する圧縮機と、
前記筐体の内部に位置し、空気を移動させるためのファンモータと、
前記筐体の内部に位置し、前記圧縮機及び前記ファンモータを制御する室外制御装置と、
前記筐体の内部に位置し、前記スイッチ接続コネクタが前記信号を受け取った場合、前記圧縮機及び前記ファンモータの運転を停止させるための停止指令を前記室外制御装置に出力するスイッチ入力回路と、
前記筐体の内部に位置し、前記スイッチ接続コネクタに接続されているスイッチ電源と、
前記筐体の内部に位置し、第３の端子と第４の端子とを有し、前記第３の端子が前記スイッチ電源に接続されており、オンの状態とオフの状態とのいずれかの状態になるスライドスイッチとを備え、
前記室外制御装置は、前記スイッチ入力回路が出力した前記停止指令を受け取った場合、前記圧縮機及び前記ファンモータの運転を停止させ、
前記スイッチは、押下されない場合に開回路であるノーマリーオープンスイッチであるか、又は、押下されない場合に閉回路であるノーマリークローズスイッチであり、
前記スイッチ入力回路は、常時閉スイッチ入力回路と常時開スイッチ入力回路とを有し、
前記スライドスイッチが有する前記第４の端子は、前記スイッチ入力回路が有する前記常時閉スイッチ入力回路に接続されており、
前記スイッチが前記ノーマリーオープンスイッチである場合、前記スライドスイッチはオンの状態になり、前記常時開スイッチ入力回路は、前記ノーマリーオープンスイッチが押下されたことを示す信号を前記スイッチ接続コネクタが受け取ったとき、前記停止指令を前記室外制御装置に出力し、
前記スイッチが前記ノーマリークローズスイッチである場合、前記スライドスイッチはオフの状態になり、前記常時閉スイッチ入力回路は、前記ノーマリークローズスイッチが押下されたことを示す信号を前記スイッチ接続コネクタが受け取ったとき、前記停止指令を前記室外制御装置に出力する
空気調和機の室外機。
【請求項６】
前記スイッチが押下された状態が解除された場合、前記室外制御装置は、運転を停止する前の状態で前記圧縮機及び前記ファンモータを運転させる
請求項１から５のいずれか１項に記載の空気調和機の室外機。
【請求項７】
請求項１から６のいずれか１項に記載の空気調和機の室外機と、
空気調和機の室内機と、
前記空気調和機の室外機と前記空気調和機の室内機とを制御するための遠隔操作機器とを備え、
前記空気調和機の室外機は、
前記室外制御装置が前記停止指令を受け取った場合に前記圧縮機及び前記ファンモータの運転が停止することを示す情報を前記空気調和機の室内機に送信する室外通信回路を有し、
前記空気調和機の室内機は、
前記空気調和機の室外機から送信された前記情報を受信する第１室内通信回路と、
前記第１室内通信回路が受信した前記情報を前記遠隔操作機器に送信する第２室内通信回路とを有し、
前記遠隔操作機器は、
前記空気調和機の室内機から送信された前記情報を受信する遠隔操作側通信機器と、
前記遠隔操作側通信機器が受信した前記情報を表示する表示装置とを有する
空気調和システム。
【手続補正２】
【補正対象書類名】明細書
【補正対象項目名】０００６
【補正方法】変更
【補正の内容】
【０００６】
上述した課題を解決し、目的を達成するために、本発明に係る空気調和機の室外機は、筐体と、スイッチと、筐体の内部に位置し、スイッチが接続されスイッチが押下された場合に、スイッチが出力するスイッチが押下されたことを示す信号を受け取るスイッチ接続コネクタとを有する。本発明に係る空気調和機の室外機は、筐体の内部に位置し、冷媒を圧縮する圧縮機と、筐体の内部に位置し、空気を移動させるためのファンモータと、筐体の内部に位置し、圧縮機及びファンモータを制御する室外制御装置と、筐体の内部に位置し、スイッチ接続コネクタが上記の信号を受け取った場合、圧縮機及びファンモータの運転を停止させるための停止指令を室外制御装置に出力するスイッチ入力回路とを更に有する。スイッチは、筐体の内部に位置する第１の状態と筐体の外面に取り付けられる第２の状態とのいずれの状態もとることができる。室外制御装置は、スイッチ入力回路が出力した停止指令を受け取った場合、圧縮機及びファンモータの運転を停止させる。
【国際調査報告】
2020188713.tif 000014
2020188713.tif 000015